(57)【要約】【課題】  生物化学テロや有害ガスの発生、またはその恐れがあるときに、被着して被害を受けないようにする防護具を提供する。【解決手段】  予め折り畳んで携帯し、生物化学テロや有害ガスの発生、またはその恐れがあるときに、透明シート２を角袋状または角筒状に整形し、被着者の頭部から上半身にかけて覆って携帯シェルターないし防護具１とし、被着者の頭部前面にあたる防護具本体の吸気口に設けた高性能フィルタ６付きの吸気ユニット５を稼動することにより、生物化学テロや有害ガスの散布若しくは発生の際に有害ガス等の呼気吸引を防止して、被害を受けることなく安全に避難場所への移動を可能とする。【選択図】  図１
0003132428.tif 000002
【実用新案登録請求の範囲】
【請求項１】
折り畳み携帯可能で立体的に整形したとき人体の頭部から上半身を包被しうる透明シートと、人体頭部の吸気位置に相当する透明シート部に、浄化フィルタと吸気用ファンを備え、その側方に吸気用ファン駆動用電源装置を設け、生物化学テロや有毒化学物質散布などの緊急事態発生時に、前記透明シートを立体的に整形して被着者の頭部から略上半身にまで被せてシェルターとすることを特徴とする防護具。
【請求項２】
前記透明シートは、折り畳み携帯可能で立体的に整形したとき被着者の頭部から上半身を包被しうる大きさを有し、人体頭部の吸気位置に、浄化フィルタ、活性炭及び吸気用ファンとからなる吸気ユニットを備え、その近傍に吸気用ファン駆動用電源装置を設けたことを特徴とする請求項１に記載の防護具。
【考案の詳細な説明】
【技術分野】
【０００１】
本考案は、生物化学テロが発生、またはその恐れがあるときに、避難場所へ移動して被害を受けないように安全に避難することのできる防護具に関する。
【背景技術】
【０００２】
近時、ＳＡＲＳコロナウイルス等を病原体や有毒化学物質などの散布によるテロ攻撃に対し、各国とも緊急な対応に迫られている。重症急性呼吸器症候群（ＳＡＲＳ）は、ＳＡＲＳコロナウイルスを病原体とする感染症で、患者のせきを浴びたり、飛沫や体液に直接触れるなどの濃厚な接触をしたりした場合に感染し、２〜７日程度の潜伏期間を経て発症する。このウイルスによる肺炎に対してはマスク・ガウン等感染防御器材・資材を整備してＳＡＲＳ患者と他の患者とを区分するパーティション内で全身状態管理、呼吸管理、症状を和らげる治療などを行うが、感染予防として手洗い、うがい以外になく、迅速な診断・治療法の研究と共に、抗ウイルス剤や予防ワクチンの研究開発が急がれている。このため、気相中に含まれる細菌や有毒ガス成分を、光照射によって分解する機能をもつフィルタによって有害成分を除去する（例えば特許文献１）ことや、導入空気を除塵したのちイオン化ユニットと放電電極線でマイナスイオン化して病原菌や有害化学物質を吸着させることも知られている（例えば特許文献２）。
また、高放射能線環境や工場火災の現場では、顔面以外を非通気性とし、身体の大部分を湿分透過素材を用いた外服で全身を覆うようにした防護服を着用することが知られている（例えば特許文献３）が、重厚で迅速な身体動作に対応できるものとはなっておらず、生物、薬物手段によるテロ発生の際に迅速に行動して被害を受けないように安全に避難できるものとはなっていない。
【０００３】
【特許文献１】特開２００２−３５５２９９号公報（第２頁右欄４２行〜第３頁左欄３行）
【特許文献２】特開２００２−１３６５８５号公報（第４頁右欄３４行〜第５頁左欄１７行、図２）
【特許文献３】特開平１０−１９７６８８号公報（第３頁左欄１５行〜３５行、図１）
【考案の開示】
【考案が解決しようとする課題】
【０００４】
本考案は、上記のごとき従来の問題点を解決するものであり、常時所定の場所に保管し、或いは携行して、生物化学兵器、薬物兵器等を使用するテロの発生時またはその恐れがあるときに、折り畳んだ透明シートを立体的に整形して頭部から被着したうえ、避難場所へ移動可能であり、移動中に被害を受けないように安全に避難することのできる携帯シェルターないし防護具を提供することを目的としている。
【課題を解決するための手段】
【０００５】
上記目的を達成するため、本考案の請求項１は、折り畳み携帯可能で立体的に整形したとき人体の頭部から上半身を包被しうる透明シートと、人体頭部の吸気位置に相当する透明シート部に、浄化フィルタと吸気用ファンを備え、その側方に吸気用ファン駆動用電源装置を設け、生物化学テロや有毒化学物質散布などの緊急事態発生時に、前記透明シートを立体的に整形して被着者の頭部から略上半身にまで被せてシェルターとすることを特徴とする防護具である。請求項２は、前記前記透明シートは、折り畳み携帯可能で立体的に整形したとき被着者の頭部から上半身を包被しうる大きさを有し、人体頭部の吸気位置に、浄化フィルタと吸気用ファンとよるなる吸気ユニットを備え、その近傍に吸気用ファン駆動用電源装置を設けてなる請求項１に記載の防護具である。
【考案の効果】
【０００６】
上記のように、本考案によれば、予め折り畳んで携帯し、生物化学テロや有害ガスの発生、またはその恐れがあるときに、防護具本体を角袋状に整形し、被着者の頭部から上半身にかけて覆ったのち、避難場所へ移動する際に、スイッチのオン、オフにより防護具本体内への外気吸入、停止を操作して高性能フィルタ、活性炭を通し外気を清浄化することで、浮遊する生物化学剤等の摂取量を減らし、または皆無近くにして被害を受けないようにすることができる。
【考案を実施するための最良の形態】
【０００７】
次に図面に基づいて本考案を具体的に説明する。図１は本考案防護具の正面図の断面図、図２は図１の平面図、図３は図１の縦断面図である。
図１に示すように、この防護具１は、折り畳み携帯可能で立体的に整形したとき人体（被着者１１）の頭部から上半身を包被しうる透明シート２と、人体頭部の吸気位置（図１、図３参照）に相当する透明シート部分に、浄化フィルタ（活性炭層を含む）６と吸気用ファン７を備え、その側方に吸気用ファン駆動電源９とオンオフ切換スイッチ１０を設けたものである。生物化学テロや有毒化学物質散布などの緊急事態発生時には、透明シート２を図１〜３に示すように、立体的に整形して被着者１１の頭部から略上半身にまで被せたのち、スイッチ１０を操作して吸気用ファン７を駆動する。フアンの駆動回路８は、図４に示すように、吸気ユニット５のフアン７、電池９及びスイッチ１０を直列に結合して構成される。
【０００８】
上記防護具は、透明シート２の折り線３に沿って防護具１を扁平に折り畳んで携行し、或いは身近な所定の場所に備えておき、緊急事態発生時、すなわち生物化学テロや有害ガスの発生、またはその恐れがあるときには、図１〜３に示すように、透明シート２を角筒状に整形して頭部から上半身にかけて被着する。被着後にスイッチ１０を操作して吸気ユニット５の吸気フアン７を駆動すると、高性能フィルタ６、活性炭を通して外気を清浄化することで、浮遊する生物化学剤等の摂取量を減らし、または皆無近くにして有害物の吸入を防ぎながら身辺整理や避難行動をスムーズに行うことができる。安全に避難したのち、スイッチオフにより防護具本体内への外気吸入を停止する。
【０００９】
予め折り畳んで携帯し、防護具本体を角袋状に整形し、被着者の頭部から上半身にかけて覆ったまた避難場所へ移動して被害を受けないようにする。
（形  式）外気を浄化して導入する装置を取り付けた、立体シート性の防護具本体１の、頭部前面に空気浄化装置（３０分〜１時間使用）。原則として１人用とし、上半身をカバーする。
（用  途）生物テロからの被害防除用具、家庭用防災用備品、救急隊・軍隊・ＶＩＰ等の携行品。
比較：従来形防毒マスクとヘルメットを使用する場合は、皮膚の露出度が大きく被爆量が大きいし、カバーオール型防護服は大きすぎて携行しにくい。
【００１０】
次に各部の仕様を例示すると、下記のとおりである。
（防護具本体）不使用時に扁平に折り畳み、使用時には立体状すなわち、角筒状に整形可能な柔軟な透明シート製防護具本体で、３０分から１時間程度の耐水性、耐薬品性、対候性を発揮するもの、例えば、ポリエチレン/酢酸ビニール/ポリエチレンのごとき２種３層シート。  
（外形寸法）頭部＝幅０．７８ｍ×奥行０．５２ｍ×高さ０．３ｍ
胸部＝幅０．７８ｍ×奥行０．５２ｍ×高さ０．６ｍ
又は  幅０．７８ｍ×奥行０．５２ｍ×高さ１．２ｍ
（浄化フィルタ）
超薄型高性能フィルタ＋活性炭フィルタ
（吸気用フアン）
型式：軸流ファン
型名：ＤＣブラシレスファンＣＦ１２３８Ｄ-１２Ｈ
規格：□１２０ｍｍ×ｔ８８ｍｍ
静圧  ６ｍｍＡｑ．風量０．３３ｍ３/分．電圧１２ｖ．電流０．５５Ａ
（乾電池）  単４乾電池１．５Ｖ×８本＝１２Ｖ）
（外気導入量）  
２０ｍ３/時（０．８３ｍ３/分）
（吸引面積）  ２０ｍ３÷（０．４５ｍ／秒×３６００）＝０．０１２ｍ２
＝□１１０ｍｍ
（空気出口）  ０．７８×０．５２−０．６×０．３＝０．２２６ｍ２
（排気速度）  ２０ｍ３/時÷（０．２２６ｍ２×３６００）＝０．０２５ｍ/秒
（避難距離）  通常：１２．５×８０ｍ/分＝１０００ｍ
最遠方：２７．０×８０ｍ/分＝２１６０ｍ
（携帯シェルター着用から処置までの所要時間）
例えば、着用３分、避難１２．５分、洗浄（３．５分/人）、折畳み等の後処置（２．５分/人）３０分  計１時間
【００１１】
上述のように、本考案によれば、予め折り畳んで携帯し、生物化学テロや有害ガスの発生、またはその恐れがあるときに、防護具本体を角袋状に整形し、被着者の頭部から上半身にかけて覆ったのち、避難場所へ移動して被害を受けないようにすることのできる携帯シェルターないし防護具としたものであるから、ウイルスの死滅、有害ガスの呼気吸引を防止して安全に避難できる。また、不使用時には扁平に折畳んで所定の場所に保管しておくことで緊急時備えることができる。
【図面の簡単な説明】
【００１２】
【図１】本考案による防護具の正面図である。
【図２】図１の平面図である。
【図３】図１の縦断面図である。
【図４】図３におけるフアンの駆動回路図である。
【符号の説明】
【００１３】
１  防護具                      ２  透明シート（防護具本体）
３  折り線                      ４  角筒部
５  吸気ユニット                ６  高性能フィルタ  
７  吸気フアン                  ８  ファン駆動回路
９  電池                        １０  スイッチ
【図１】
0003132428.tif 000003
【図２】
0003132428.tif 000004
【図３】
0003132428.tif 000005
【図４】
0003132428.tif 000006